(57)【要約】【課題】  ポンプの加圧量を変更してミストノズルから噴霧される湯水の粒径を変えても、ミストノズルから噴霧される湯水の流速や噴霧範囲を調節することが可能なミストサウナ装置を提供する。【解決手段】  浴槽側ポンプ１１４の加圧量と連動して、浴室内における湯水の噴霧状態を調節する噴霧状態調節手段を備えることにより、噴霧される湯水の流速や湯水の噴霧範囲を、使用者が所望する噴霧状態に、容易に調節することが可能となる。【選択図】  図１１
2008279189.tif 000002
【特許請求の範囲】
【請求項１】
浴室内に湯水を噴霧して多湿空間とするミストサウナ装置において、
前記浴室内に湯水を噴霧する噴霧手段と、
前記浴室内に空気を吹き出す送風手段と、
前記噴霧手段および前記送風手段を制御する制御手段と、を備え、
前記噴霧手段は、
湯水をミスト状に噴霧させるミストノズルと、
該ミストノズルに供給される湯水を加圧するポンプと、を有し、
前記制御手段は、
前記ミストノズルに供給される湯水の加圧量を変更することにより、該ミストノズルから噴霧される湯水の粒径を異ならせる複数のミストサウナモードを有し、
前記ポンプの加圧量と連動して前記浴室内における湯水の噴霧状態を調節する噴霧状態調節手段を備えることを特徴とするミストサウナ装置。
【請求項２】
前記噴霧状態調節手段は、前記ポンプの加圧量と連動して前記ポンプを間欠的に動作させることで、前記浴室内における湯水の噴霧状態を調節することを特徴とする請求項１記載のミストサウナ装置。
【請求項３】
前記噴霧状態調節手段は、前記ポンプの加圧量と連動して前記送風手段から室内に吹き出される空気の指向性を変更することで、前記浴室内における湯水の噴霧状態を調節することを特徴とする請求項１記載のミストサウナ装置。
【請求項４】
前記複数のミストサウナモードには、少なくとも第一ミストサウナモードと第二ミストサウナモードとが含まれ、
前記第二ミストサウナモードでは、前記ポンプの加圧量が、前記第一ミストサウナモードにおける該ポンプの加圧量よりも大きくなるように制御されるとともに、前記送風手段が空気を吹き出す方向と前記噴霧手段が湯水を噴霧する方向とのなす角度が、前記第一ミストサウナモードにおける該角度に比べて大きくなるように前記送風手段を動作させることを特徴とする請求項３記載のミストサウナ装置。
【請求項５】
前記噴霧手段は、使用者の頭部に向けて湯水を噴霧し、
前記噴霧状態調節手段は、前記噴霧手段により噴霧された湯水の使用者の頭部よりも上方に向けて空気を吹き出すように前記送風手段を動作させることを特徴とする請求項３記載のミストサウナ装置。
【請求項６】
前記噴霧状態調節手段は、前記ポンプの加圧量と連動して前記送風手段から室内に吹き出される空気の風速を変更することで、前記浴室内における湯水の噴霧状態を調節することを特徴とする請求項１記載のミストサウナ装置。
【請求項７】
前記複数のミストサウナモードには、少なくとも第三ミストサウナモードと第四ミストサウナモードとが含まれ、
前記第四ミストサウナモードでは、前記ポンプの加圧量が、前記第三ミストサウナモードにおける該ポンプの加圧量よりも小さくなるように制御されるとともに、前記送風手段が吹き出す空気の風速が、前記第三ミストサウナモードにおける該風速に比べて大きくなるように前記送風手段を動作させることを特徴とする請求項３記載のミストサウナ装置。
【請求項８】
前記複数のミストサウナモードから所望のミストサウナモードを選択するミストサウナモード選択手段をさらに備え、
前記噴霧状態調節手段は、前記送風手段を動作させて、前記ミストサウナモード選択手段により選択されたミストサウナモードに対応する方向への送風を開始させ、
その後、前記噴霧手段を動作させて、前記ミストサウナモード選択手段により選択されたミストサウナモードに対応する前記ポンプの加圧量で湯水の噴霧を開始することを特徴とする請求項１記載のミストサウナ装置。
【発明の詳細な説明】
【技術分野】
【０００１】
本発明は、ミストサウナ装置に関するものであり、詳しくは、浴室内に湯水を噴霧して多湿空間とするミストサウナ装置に関するものである。
【背景技術】
【０００２】
従来のミストサウナ装置として、加圧ポンプにより加圧された湯水をミスト噴出部に供給し、ミスト噴出部から浴室内にミストを噴出するものが知られている（特許文献１）。この加圧ポンプは、水道源の元供給圧が弱い場合などにおいて、ミスト噴出部から噴出されるミストの噴出圧を一定圧まで高める。
【０００３】
また、他のミストサウナ装置として、複数のミスト噴出ノズルが設けられ、それぞれのミスト噴出ノズルは、粒径が異なる湯水を噴出するように設定されているものが知られている（特許文献２）。このミストサウナ装置では、それぞれの用途に合わせて使用するミスト噴出ノズルが区別されており、その用途に応じた粒径の湯水をミスト噴出ノズルから噴出させる。
【０００４】
【特許文献１】特公平６−９５９８号公報
【特許文献２】特開２００３−４６２号公報
【発明の開示】
【発明が解決しようとする課題】
【０００５】
一般に、給水経路に設けられたポンプで加圧された湯水を、ミストノズルから噴霧するミストサウナ装置では、同一のミストノズルから噴霧される湯水の粒径は、ポンプ圧を高くすれば小さくなり、ポンプ圧を低くすれば大きくなることが知られている。
【０００６】
このように、給水経路にポンプを備えたミストサウナ装置では、ポンプ圧を高めることで同一のミストノズルから噴霧される湯水の粒径を小さくすることができる。しかしながら、ポンプ圧を高めたときには、ミストノズルから噴霧される湯水の粒径が小さくなるだけでなく、ミストノズルから噴霧される湯水の流速が速くなる。したがって、例えば、美容のために顔面に粒径の小さい湯水を浴びたい使用者にとっては、湯水の流速が速ければ、高速の湯水が顔面に噴きつけられることになり、使い勝手が悪いものとなっていた。一方、ポンプ圧を低くすれば、粒径の大きな湯水をミストノズルから噴霧することができるが、この場合、ミストノズルから噴霧される湯水の流速が遅くなり、噴霧範囲が狭くなるという問題が生じる。
【０００７】
そこで、本発明は、ポンプの加圧量を変更してミストノズルから噴霧される湯水の粒径を変えても、ミストノズルから噴霧される湯水の流速や噴霧範囲を調節することが可能なミストサウナ装置を提供するものである。
【課題を解決するための手段】
【０００８】
本発明のうち第１の態様に係るものは、浴室内に湯水を噴霧する噴霧手段と、浴室内に空気を吹き出す送風手段と、噴霧手段および送風手段を制御する制御手段と、を備え、噴霧手段は、湯水をミスト状に噴霧させるミストノズルと、ミストノズルに供給される湯水を加圧するポンプと、を有し、制御手段は、ミストノズルに供給される湯水の加圧量を変更することにより、ミストノズルから噴霧される湯水の粒径を異ならせる複数のミストサウナモードを有し、ポンプの加圧量と連動して浴室内における湯水の噴霧状態を調節する噴霧状態調節手段を備えることを特徴とする。
【０００９】
本発明によれば、ポンプの加圧量と連動して浴室内における湯水の噴霧状態を調節する噴霧状態調節手段が備えられているので、使用者が所望するミストの噴霧状態を得ることができる。すなわち、ミストノズルに供給される湯水の加圧量を変更することにより、ミストノズルから噴霧される湯水の粒径を異ならせると、ミストノズルから噴霧される湯水の粒径が変わるだけでなく、ミストノズルから噴霧される湯水の流速や噴霧範囲も変わってしまうが、ポンプの加圧量と連動して浴室内における湯水の噴霧状態を調節する噴霧状態調節手段を備えることで、噴霧される湯水の流速や湯水の噴霧範囲を、使用者が所望する噴霧状態に調節することが可能となる。
【００１０】
本発明のうち第２の態様に係るものは、第１の態様に係るミストサウナ装置であって、噴霧状態調節手段は、ポンプの加圧量と連動してポンプを間欠的に動作させることで、浴室内における湯水の噴霧状態を調節することを特徴とする。
【００１１】
本発明によれば、ポンプの加圧量と連動してポンプを間欠的に動作させることにより、ミストノズルから噴霧される湯水を拡散（休止部分で拡散）させることができる。これにより、たとえポンプの加圧量が大きくされて噴霧される湯水の流速が大きくなる場合でも、ポンプを間欠的に動作させることにより湯水が拡散し、使用者が体感する湯水の流速を下げることができる。このように、使用者が所望する噴霧状態を容易に得ることができる。
【００１２】
本発明のうち第３の態様に係るものは、第１の態様に係るミストサウナ装置であって、噴霧状態調節手段は、ポンプの加圧量と連動して送風手段から室内に吹き出される空気の指向性を変更することで、浴室内における湯水の噴霧状態を調節することを特徴とする。
【００１３】
本発明によれば、ポンプの加圧量と連動して送風手段から浴室内に吹き出される空気の指向性が変更されるので、その空気の方向に応じて浴室内に噴霧された湯水を拡散させたり、浴室内に噴霧された湯水の流速を加速させたりすることができる。これにより、たとえばポンプの加圧量を大きくして、粒径の小さい湯水が高速で噴霧される場合であっても、噴霧された湯水を拡散させる方向に空気を吹き出すことで、使用者が体感する湯水の速度を下げることができる。また、たとえばポンプの加圧量を小さくして、粒径の大きい湯水が低速で噴霧される場合でも、噴霧された湯水を加速する方向に空気を吹き出すことにより、使用者が体感する湯水の流速を上げることができる。このように、噴霧される湯水の粒径が変化しても使用者が所望する噴霧状態を容易に得ることができる。
【００１４】
本発明のうち第４の態様に係るものは、第３の態様に係るミストサウナ装置であって、複数のミストサウナモードには、少なくとも第一ミストサウナモードと第二ミストサウナモードとが含まれ、第二ミストサウナモードでは、ポンプの加圧量が、第一ミストサウナモードにおけるポンプの加圧量よりも大きくなるように制御されるとともに、送風手段が空気を吹き出す方向と噴霧手段が湯水を噴霧する方向とのなす角度が、第一ミストサウナモードにおける角度に比べて大きくなるように送風手段を動作させることを特徴とする。
【００１５】
本発明によれば、第二ミストサウナモードでは、第一ミストサウナモードよりもポンプの加圧量を大きくしている。すなわち、第二ミストサウナモードでは、第一ミストサウナモードよりも粒径の小さい湯水が、第一ミストサウナモードよりも大きな流速で噴霧されるが、送風手段により空気が吹き出される方向と噴霧手段により湯水が噴霧される方向とがなす角度を、第一ミストサウナモードにおける角度に比べて大きくしているので、噴霧された湯水が送風手段から吹き出される空気の干渉により拡散しやすくなる。これにより、使用者が体感する湯水の流速を下げることができる。このように、噴霧される湯水の粒径が変化しても使用者が所望する噴霧状態を容易に得ることができる。
【００１６】
本発明のうち第５の態様に係るものは、第３の態様に係るミストサウナ装置であって、噴霧手段は、使用者の頭部に向けて湯水を噴霧し、噴霧状態調節手段は、噴霧手段により噴霧された湯水の使用者の頭部よりも上方に向けて空気を吹き出すように前記送風手段を動作させることを特徴とする。
【００１７】
本発明によれば、使用者の頭部に向けて湯水を噴霧し、その噴霧された湯水が使用者の頭部よりも上方で空気と干渉するので、使用者の頭部よりも上方で湯水の噴霧の状態を変化させることができる。これにより、たとえばポンプの加圧量を大きくして、粒径の小さい湯水が高速で噴霧される場合であっても、使用者の頭部よりも上方で噴霧された湯水を拡散させる方向に空気を吹き出すことで、湯水を拡散させることができ、使用者が体感する湯水の流速を下がることができる。また、たとえばポンプの加圧量を小さくして、粒径の大きい湯水が低速で噴霧される場合でも、使用者の頭部よりも上方で噴霧された湯水を加速する方向に空気を吹き出すことで、噴霧された湯水を加速させることができ、使用者が体感する湯水の流速を上げることができる。このように、使用者は、所望の噴霧状態となった湯水を頭部に浴びることができる。
【００１８】
本発明のうち第６の態様に係るものは、第１の態様に係るミストサウナ装置であって、噴霧状態調節手段は、ポンプの加圧量と連動して送風手段から室内に吹き出される空気の風速を変更することで、浴室内における湯水の噴霧状態を調節することを特徴とする。
【００１９】
本発明によれば、ポンプの加圧量と連動して送風手段から浴室内に吹き出される空気の風速が変更されるので、風速が速いほど浴室内に噴霧された湯水に対する干渉が大きくなり、風速が遅いほど浴室内に噴霧された湯水に対する干渉が小さくなる。したがって、ポンプの加圧量の増減に伴って変化する湯水の粒径と流速に応じて風速を変更することで、使用者が体感する湯水の流速や湯水の噴霧範囲を調節することができる。これにより使用者が所望する噴霧状態を容易に得ることができる。
【００２０】
本発明のうち第７の態様に係るものは、第６の態様に係るミストサウナ装置であって、複数のミストサウナモードには、少なくとも第三ミストサウナモードと第四ミストサウナモードとが含まれ、第四ミストサウナモードでは、ポンプの加圧量が、第三ミストサウナモードにおけるポンプの加圧量よりも小さくなるように制御されるとともに、送風手段が吹き出す空気の風速が、第三ミストサウナモードにおける風速に比べて大きくなるように送風手段を動作させることを特徴とする。
【００２１】
送風手段からの送風を噴霧された湯水に干渉させることにより、その噴霧された湯水を加速したり、噴霧範囲を調節することができるが、ポンプの加圧量が小さくなれば噴霧される湯水の粒径が大きく、重量も大きくなるため、送風手段の送風の影響を受けにくくなる。本発明によれば、第四ミストサウナモードでは、第三ミストサウナモードよりもポンプの加圧量を小さくしている。すなわち、第四ミストサウナモードでは、第三ミストサウナモードよりも粒径および重量が大きい湯水が小さい流速で噴霧されるが、送風手段から吹き出される空気の風速を、第三ミストサウナモードにおける風速に比べて大きくしているので、粒径および重量の大きい湯水に対しても強い力で干渉して湯水の流速を加速させることができる。また、粒径および重量の大きい湯水に対して大きな風速で空気を干渉させるので、湯水の噴霧距離も容易に変更でき湯水の噴霧範囲の調節も可能となる。このように、噴霧される湯水の粒径が変化しても使用者が所望する噴霧状態を容易に得ることができる。
【００２２】
本発明のうち第８の態様に係るものは、第１の態様に係るミストサウナ装置であって、複数のミストサウナモードから所望のミストサウナモードを選択するミストサウナモード選択手段をさらに備え、噴霧状態調節手段は、送風手段を動作させて、ミストサウナモード選択手段により選択されたミストサウナモードに対応する方向への送風を開始させ、その後、噴霧手段を動作させて、ミストサウナモード選択手段により選択されたミストサウナモードに対応するポンプの加圧量で湯水の噴霧を開始することを特徴とする。
【００２３】
複数のミストサウナモードから所望のミストサウナモードが選択された場合に、送風と湯水の噴霧とを同時に開始したり、湯水の噴霧を送風よりも先に開始すれば、所望のミストサウナモードが選択された直後に、噴霧された湯水が送風による干渉を受けずに、高速の湯水が使用者に到達することとなり、使用者は不快に感じてしまう。本発明によれば、先に送風手段を動作させて送風を開始させ、その後、ポンプの加圧量で湯水の噴霧を開始するので、噴霧開始初期から噴霧された湯水が送風により干渉を受けて、使用者が所望する噴霧状態とさせることができ、使用者に不快感を与えることがない。このように、使用者が所望する噴霧状態を容易に得ることができる。
【発明を実施するための最良の形態】
【００２４】
以下、図面を参照して、本発明の一実施形態におけるミストサウナ機能付き浴室暖房乾燥機について説明する。図１は、本発明の一実施形態におけるミストサウナ機能付き浴室暖房乾燥機の使用形態の一例を示す。
【００２５】
図１に示すように、本実施形態におけるミストサウナ機能付き浴室暖房乾燥機１（以下、「浴室暖房乾燥機１」という）は、浴室２の天井裏に本体１０が設置され、この本体１０から浴室２内に湯水がミスト状に噴霧されるとともに、本体１０により浴室２内の空気が吸い込まれ、その空気を浴室２内に循環させ、また浴室２外へ排出する。浴室２の壁および脱衣室３の壁には、それぞれ浴室側操作パネル５０ａおよび脱衣室側操作パネル５０ｂが取り付けられる。浴室側操作パネル５０ａまたは脱衣室側操作パネル５０ｂが操作されることにより、本体１０が駆動する。この浴室暖房乾燥機１は、後述するように、浴室２内を高温多湿のミストサウナ環境にすること以外に、浴室２内の「暖房」や「換気」なども行うことができる。
【００２６】
本体１０には、２本の給水管（洗い場側給水管１０１および浴槽側給水管１１１）が取り付けられ、これらの給水菅から本体１０に湯水が供給される。また、本体１０には、排気ダクト２０２が取り付けられ、この排気ダクト２０２から浴室２内の空気を浴室２外に排出することができる。
【００２７】
次に、図２を用いて、本体１０の構造について詳述する。図２は、本発明の一実施形態における本体１０の断面図である。図２に示すように、本体１０は、ミスト噴霧ユニット２０、暖房換気ユニット３０、および制御ユニット４０などで構成されている。なお、本体１０の浴室側の面（下面）には、グリル板３００が取り付けられている。
【００２８】
ミスト噴霧ユニット２０には、洗い場側給水管１０１、洗い場側ミストノズル１０２、洗い場側電磁弁１０３、洗い場側ポンプ１０４、温水ヒータ１０５、洗い場側ポンプ用モータ１０６、浴槽側給水管１１１、浴槽側ミストノズル１１２、浴槽側電磁弁１１３、浴槽側ポンプ１１４、浴槽側ポンプ用モータ１１６が備えられている。
【００２９】
以下、洗い場側の構成と浴槽側の構成を合わせて説明する。洗い場側給水管１０１（浴槽側給水管１１１）は、水道などの水供給源から湯水を供給するための配管である。洗い場側給水管１０１（浴槽側給水管１１１）により供給された湯水は、洗い場側ミストノズル１０２（浴槽側ミストノズル１１２）から浴室２内に噴霧される。
【００３０】
洗い場側ミストノズル１０２（浴槽側ミストノズル１１２）は、浴室２内に湯水をミスト状に噴霧させるためのノズルであり、洗い場側電磁弁１０３（浴槽側電磁弁１１３）は、洗い場側ミストノズル１０２（浴槽側ミストノズル１１２）への給水量を調節するための弁である。また、洗い場側ポンプ１０４（浴槽側ポンプ１１４）は、洗い場側ミストノズル１０２（浴槽側ミストノズル１１２）へ供給する湯水を加圧するためのものである。このポンプの加圧量を増減することにより、後述するように洗い場側ミストノズル１０２（浴槽側ミストノズル１１２）から噴霧される湯水の粒径や流速を変化させることができる。洗い場側ポンプ１０４（浴槽側ポンプ１１４）の近傍には、洗い場側ポンプ用モータ１０６（浴槽側ポンプ用モータ１１６）が設置され、このポンプ用モータ１０６（１１６）の回転によりポンプ１０４（１１４）を駆動させることができる。
【００３１】
温水ヒータ１０５は、洗い場側ミストノズル１０２から噴霧される湯水を加熱するためのヒータである。温水ヒータ１０５は、洗い場側ポンプ１０４の取り付け位置よりも下流側の洗い場側給水管１０１に取り付けられている。この温水ヒータ１０５が発熱することにより、温水ヒータ１０５の内側の洗い場側給水管１０１を通る湯水が温められ、洗い場側ミストノズル１０２から温水として噴霧させることができる。なお、浴槽側給水管１１１には温水ヒータは取り付けられていないので、浴槽側ミストノズル１１２からは浴槽側給水管１１１により供給された湯水が常温のまま噴霧される。
【００３２】
暖房換気ユニット３０には、吸込口２０１、排気ダクト２０２、吹出口２０３、可動ルーバ２０４、可動ルーバ用モータ２１１（図２略）、暖房ヒータ２０５、ダンパ２０６、ダンパ用モータ２１０（図２略）、送風機２０７、送風機用モータ２０８、温度センサ２０９が備えられている。
【００３３】
吸込口２０１は、グリル板３００に設けられ、送風機２０７が回転することにより、この吸込口２０１から浴室２内の空気が暖房換気ユニット３０に吸い込まれる。ダンパ２０６は、浴室２内から吸い込まれた空気の流れを排気ダクト２０２側と吹出口２０３側に切り換えるために設けられ、ダンパ２０６が全開状態（排気ダクト２０２の入口が開いている）の場合には、吸い込まれた空気が排気ダクト２０２から浴室外に排出される。一方、ダンパ２０６が全閉状態（排気ダクト２０２の入口が閉まっている）の場合には、吸い込まれた空気がグリル板３００に設けられた吹出口２０３から浴室２内へ吹き出される。吹出口２０３には、可動ルーバ２０４が取り付けられており、浴室２内へ吹き出す空気の方向を変更できるようになっている。なお、送風機２０７、ダンパ２０６および可動ルーバ２０４は、それぞれ送風機用モータ２０８、ダンパ用モータ２１０（図２略）および可動ルーバ用モータ２１１（図２略）により駆動する。
【００３４】
暖房ヒータ２０５は、吹出口２０３の近傍の上流側に備えられ、浴室２内へ吹き出す空気を加熱するためのヒータである。暖房ヒータ２０５が発熱することにより暖房ヒータ２０５を通る空気が暖められ、その暖められた空気が浴室２内へ吹き出される。温度センサ２０９は、浴室２内から吸い込まれた空気の温度を測定するものである。
【００３５】
図３は、本発明の一実施形態における浴室暖房乾燥機１の制御系を示すブロック図である。暖房換気ユニット３０には、可動ルーバ２０４、可動ルーバ用モータ２１１、暖房ヒータ２０５、ダンパ２０６、ダンパ用モータ２１０、送風機２０７、送風機用モータ２０８、温度センサ２０９が備えられて、ミスト噴霧ユニット２０には、洗い場側電磁弁１０３、洗い場側ポンプ１０４、洗い場側ポンプ用モータ１０６、温水ヒータ１０５、浴槽側電磁弁１１３、浴槽側ポンプ１１４、浴槽側ポンプ用モータ１１６が備えられている。制御手段としての制御ユニット４０には、たとえば、ＣＰＵ３０１やメモリ３０２が備えられている。ＣＰＵ３０１は、たとえば、浴室側操作パネル５０ａ、脱衣室側操作パネル５０ｂおよび温度センサ２０９のうちの少なくとも一つから信号を受けた場合、その信号をもとに、送風機用モータ２０８、ダンパ用モータ２１０、可動ルーバ用モータ２１１、洗い場側電磁弁１０３、浴槽側電磁弁１１３、洗い場側ポンプ用モータ１０６、浴槽側ポンプ用モータ１１６、暖房ヒータ２０５、および温水ヒータ１０５のうちの少なくとも一つを必要に応じて制御することができる。換言すれば、たとえば、ＣＰＵ３０１は、送風機２０７の回転、ダンパ２０６の開閉の度合い、可動ルーバ２０４の向き、洗い場側電磁弁１０３の開閉の度合い、浴槽側電磁弁１１３の開閉の度合い、洗い場側ポンプ１０４の加圧量の大小、浴槽側ポンプ１１４の加圧量の大小、暖房ヒータ２０５の発熱量、温水ヒータ１０５の発熱量を制御することができる。
【００３６】
図４は、本発明の一実施形態における操作パネルの一例を示す。本実施形態においては、浴室側操作パネル５０ａと脱衣室側操作パネル５０ｂとは同一の構成を有し、浴室暖房乾燥機１のユーザインタフェース（リモートコントローラ）である。以下、浴室側操作パネル５０ａと脱衣室側操作パネル５０ｂとを区別せず、「操作パネル５０」と称し、説明する。操作パネル５０には、ミストサウナモードを含む複数の運転モードにそれぞれ対応した複数の運転モードスイッチが備えられている。たとえば、この操作パネル５０には「暖房」、「換気」、「ミストサウナ」の運転モードにそれぞれ対応した運転モードスイッチ（運転モードボタン）が搭載されている。使用者は、実行したい運転モードに対応した運転モードスイッチを操作することにより、所望の運転モードを浴室暖房乾燥機１に実行させることができる。
【００３７】
また、本実施形態における浴室暖房乾燥機１は、ミストサウナモードとして「温ミスト」、「冷ミスト」、「クールダウン」の３種類のモードを含み、この操作パネル５０の「ミストサウナ」スイッチを操作することにより、３種類のミストサウナモードが切り替えられる。
【００３８】
使用者により、ある運転モードスイッチが操作され、その運転モードスイッチの投入信号を受けた場合に、制御ユニット４０は、送風機２０７、ダンパ２０６、可動ルーバ２０４、洗い場側電磁弁１０３、浴槽側電磁弁１１３、洗い場側ポンプ１０４、浴槽側ポンプ１１４、暖房ヒータ２０５、温水ヒータ１０５のうちの少なくとも一つを制御し、それにより、投入されたスイッチに対応する運転モードが実行される（図３参照）。
【００３９】
また、操作パネル５０は、液晶表示部４０１を用いてミスト設定を行うことができるようになっている。具体的には、浴槽側の湯水噴霧の方向、浴槽側および洗い場側の湯水噴霧の強さ（勢い）、洗い場側の湯水の温度を設定することができる。使用者は、指示スイッチ４０２を用いて、この液晶表示部４０１に表示されている「方向」、「強さ（浴槽側（左）、洗い場側（右））」、「温度」のいずれかにカーソルを持っていき、その後、それぞれ浴槽側の湯水噴霧の方向、浴槽側および洗い場側の湯水噴霧の強さ、洗い場側の湯水の温度を設定することができる。そして、設定が終了すると確定スイッチ４０３を操作（押圧）することにより、その内容が登録される。なお、終了スイッチ４０４は、浴室暖房乾燥機１の運転を終了するときに用いられるスイッチである。
【００４０】
ここで、図４に示すように、本実施形態における浴室暖房乾燥機１は、運転モードとして「暖房」モードと「換気」モードと「ミストサウナ」モードとを有している。また、「ミストサウナ」モードには「温ミスト」、「冷ミスト」、「クールダウン」の３種類のモードが含まれる。以下、各運転モードについて詳細に説明する。
【００４１】
まず、図５を用いて暖房モードについて説明する。図５は、暖房モードの空気の流れを説明するための説明図である。
【００４２】
操作パネル５０の「暖房」スイッチが操作されると、図５に示すように、暖房換気ユニット３０の送風機２０７が回転し、ダンパ２０６が全閉状態（排気ダクト２０２の入口を完全に遮断する状態）にされ、また、暖房ヒータ２０５がオン状態とされる。これにより、送風機２０７の回転によって吸込口（図５略）から吸い込まれた浴室２内の空気は、全て暖房ヒータ２０５により加熱され、吹出口（図５略）から浴室２内に吹き出される。このときの可動ルーバ２０４はいずれの方向を向いていてもよい。なお、暖房モードでは、ミスト噴霧ユニット２０の洗い場側電磁弁１０３および浴槽側電磁弁１１３が全閉され、洗い場側ポンプ用モータ１０６（図５略）、浴槽側ポンプ用モータ１１６（図５略）および温水ヒータ１０５がオフ状態にされている。これにより、暖房モードでは、ミスト噴霧ユニット２０に湯水が供給されず、洗い場側ミストノズル１０２および浴槽側ミストノズル１１２のどちらからも湯水が噴霧されない。このように、暖房モードでは、暖房換気ユニット３０に吸い込まれた浴室２内の空気が暖房ヒータ２０５で加熱され、浴室２内に排気・循環されることにより、浴室２内の温度を上昇させることができる。
【００４３】
次に、図６を用いて換気モードについて説明する。図６は、換気モードの空気の流れを説明するための説明図である。
【００４４】
操作パネル５０の「換気」スイッチが操作されると、図６に示すように、暖房換気ユニット３０の送風機２０７が回転し、ダンパ２０６が全開状態（排気ダクト２０２の入口を完全に開き、吹出口（図６略）方向を閉じている状態）にされ、暖房ヒータ２０５がオフ状態とされる。これにより、送風機２０７の回転によって吸込口（図６略）から吸い込まれた浴室２内の空気は、全て排気ダクト２０２を通って外部に排出される。そして、浴室２内の空気が外部に排出されることにより、浴室２外から新たな空気が浴室ドアに設けられた隙間などを経て浴室２内に導入される。なお、換気モードでは、ミスト噴霧ユニット２０の洗い場側電磁弁１０３および浴槽側電磁弁１１３が全閉され、洗い場側ポンプ用モータ１０６（図６略）、浴槽側ポンプ用モータ１１６（図６略）および温水ヒータ１０５がオフ状態にされている。これにより、換気モードでは、ミスト噴霧ユニット２０に湯水が供給されず、洗い場側ミストノズル１０２および浴槽側ミストノズル１１２のどちらからも湯水が噴霧されない。このように、換気モードでは、暖房換気ユニット３０に吸い込まれた浴室２内の空気が排気ダクト２０２から排出され、浴室２外の空気と入れ換えられることで、浴室２内を換気することができる。
【００４５】
次に、図７を用いてミストサウナモードの温ミストモードについて説明する。図７は、温ミストモードの湯水の噴霧状態を説明するための説明図である。温ミストモードは、供給された湯水を温水ヒータ１０５で加熱して温水を噴霧するモードである。
【００４６】
操作パネル５０の「ミストサウナ」スイッチが操作され、温ミストモードが選択されると、図７に示すように、ミスト噴霧ユニット２０の洗い場側電磁弁１０３が開かれ、洗い場側ポンプ用モータ（図７略）がオン状態とされて洗い場側ポンプ１０４が駆動し、温水ヒータ１０５がオン状態とされる。これにより、洗い場側ポンプ１０４により加圧された湯水が、温水ヒータ１０５で加熱され、洗い場側ミストノズル１０２から温水が噴霧される。なお、温ミストモードでは、浴槽側電磁弁１１３は全閉され、浴槽側ポンプ用モータ１１６（図７略）はオフ状態にされるので、浴槽側ミストノズル１１２からは湯水が噴霧されない。このように、温ミストモードでは、温水ヒータ１０５で加熱された温水が洗い場側ミストノズル１０２から浴室２内に噴霧され、浴室２内を高温多湿の環境にすることができる。
【００４７】
次に、図８を用いてミストサウナモードの冷ミストモードについて説明する。図８は、冷ミストモードの湯水の噴霧状態を説明するための説明図である。冷ミストモードは、供給された湯水を加熱せずに常温のまま噴霧するモードである。
【００４８】
操作パネル５０の「ミストサウナ」スイッチが操作され、冷ミストモードが選択されると、図８に示すように、ミスト噴霧ユニット２０の洗い場側電磁弁１０３が開かれ、洗い場側ポンプ用モータ（図８略）がオン状態とされて、洗い場側ポンプ１０４が駆動する。これにより、洗い場側ポンプ１０４で加圧された湯水が洗い場側ミストノズル１０２へ供給される。なお、温水ヒータ１０５はオフ状態とされ、給水管１０１を通る湯水は加熱されずに常温のまま洗い場側ミストノズル１０２から噴霧される。また、浴槽側電磁弁１１３が開かれ、浴槽側ポンプ用モータ１１６（図８略）がオン状態とされて、浴槽側ポンプ１１４が駆動する。これにより、浴槽側ポンプ１１４で加圧された湯水が浴槽側ミストノズル１１２へ供給される。浴槽側給水管１１１には温水ヒータが取り付けられていないので、浴槽側ミストノズル１１２からは、浴槽側給水管１１１により供給された湯水が常温のまま噴霧される。なお、冷ミストモードにおいては、洗い場側ミストノズル１０２および浴槽側ミストノズル１１２の両方から常温の湯水が噴霧されてもよく、いずれか一方のミストノズルから常温の湯水が噴霧されてもよい。
【００４９】
次に、図９および図１０を用いて、ミストサウナモードにおけるポンプの加圧量の大きさと湯水の噴霧状態の関係を説明する。図９は、ミストサウナモードにおいてポンプの加圧量が小さい場合の湯水の噴霧状態を説明するための説明図であり、図１０は、ミストサウナモードにおいてポンプの加圧量が大きい場合の湯水の噴霧状態を説明するための説明図である。なお、説明の便宜上、洗い場側ポンプ１０４と浴槽側ポンプ１１４を合わせて説明する。
【００５０】
図９に示すように、洗い場側ポンプ１０４（浴槽側ポンプ１１４）の加圧量を小さくすると、洗い場側ミストノズル１０２（浴槽側ミストノズル１１２）から噴霧される湯水は、粒径が大きく、噴霧範囲が狭く、流速が小さくなる。一方、図１０に示すように、洗い場側ポンプ１０４（浴槽側ポンプ１１４）の加圧量を大きくすると、洗い場側ミストノズル１０２および浴槽側ミストノズル１１２から噴霧される湯水は、粒径が小さく、噴霧範囲が広く、流速が大きくなる。
【００５１】
続いて、図１１〜図１６を用いて、ミストサウナモードのクールダウンモードについて説明する。クールダウンモードは、温ミストモード実行中（洗い場側ミストノズル１０２から温水が噴霧されている状態）に、浴槽側ミストノズル１１２から常温の湯水を噴霧し、浴槽側に涼感が得られるスペースを作るモードである。このクールダウンモードは、洗い場側ミストノズル１０２から噴霧されている温水を浴びている使用者や、浴槽の湯に浸かっている使用者がのぼせそうになったときなどに用いられる。また、以下のクールダウンモードの説明では、使用者がごく弱い涼感を得るために、操作パネル５０の液晶表示部４０１を用いて、浴槽側の湯水噴霧の強さを「弱」側（目盛１（図４参照））に設定した場合の「弱クールダウン」モードと、使用者が強い涼感を得るために、操作パネル５０の液晶表示部４０１を用いて浴槽側の湯水噴霧の強さを「強」側（目盛５（図４参照））に設定した場合の「強クールダウン」モードとに分けて説明する。
【００５２】
〔第１実施形態〕
図１１は、第１実施形態におけるクールダウンモードの弱クールダウンモードを説明するための説明図である。弱クールダウンモードでは、使用者にごく弱い涼感を与えるために、浴槽側ポンプ１１４の加圧量を大きくして、使用者の肌から奪われる熱量が小さくなるように常温で小粒径の湯水を噴霧するようにしている。しかしながら、浴槽側ポンプ１１４の加圧量が大きくなると、浴槽側ミストノズル１１２から噴霧される湯水の流速が大きくなるので（図１０参照）、使用者は流速の大きな湯水を浴びることになり、使用者の肌から急激に熱を奪われてしまい、ごく弱い涼感を得ることができない。そこで、第１実施形態における弱クールダウンモードにおいては、図１１に示すように、浴槽側ミストノズル１１２から噴霧される湯水を拡散させる向きに暖房換気ユニット３０から空気を吹き出すようにしている。これにより、噴霧された常温で小粒径の湯水が空気の干渉によって拡散され、使用者が体感する湯水の流速が下げることができる。以下に、具体的に説明する。
【００５３】
弱クールダウンモードは、温ミストモード実行中（洗い場側ミストノズル１０２から温水が噴霧されている状態）に、操作パネル５０の「ミストサウナ」スイッチが操作されてクールダウンモードが選択され、浴槽側の湯水噴霧の強さが「弱」側に設定されることにより実行される。弱クールダウンモードが開始されると、ミスト噴霧ユニット２０の浴槽側電磁弁１１３が開かれ、浴槽側ポンプ用モータ１１６（図１１略）がオン状態とされて浴槽側ポンプ１１４が駆動する。これにより、浴槽側ポンプ１１４で加圧された湯水が浴槽側ミストノズル１１２へ供給される。弱クールダウンモードでは、浴槽側ポンプ１１４による加圧量を大きくしているので、浴槽側ミストノズル１１２から浴室２内へ常温の湯水が、粒径小、流速大で噴霧される。また、暖房換気ユニット３０の送風機２０７が回転し、ダンパ２０６が全閉状態（排気ダクト２０２の入口を完全に遮断する状態）にされ、暖房ヒータ２０５がオフ状態とされる。これにより、送風機２０７の回転によって吸込口（図１１略）から吸い込まれた浴室２内の空気は、吹出口（図１１略）から浴室２内に吹き出される。このときの可動ルーバ２０４は、浴槽側ミストノズル１１２から噴霧される湯水を拡散させる方向、つまり、たとえば、浴槽側ミストノズル１１２から噴霧される湯水の噴霧方向と吹出口（図１１略）から吹き出される空気の吹き出し方向とが角度θ１で交差するような方向（図１１参照）に向けられる。このように、弱クールダウンモードでは、浴槽側ミストノズル１１２から噴霧される湯水の方向と暖房換気ユニット３０から吹き出される空気とのなす角をθ１（図１１）としているので、流速大で噴霧された湯水が空気の干渉により拡散され、使用者が体感する湯水の流速を下げることができる。
【００５４】
図１２は、第１実施形態におけるクールダウンモードの強クールダウンモードを説明するための説明図である。強クールダウンモードでは、使用者に強い涼感を与えるために、使用者の肌から奪われる熱量が大きくなるように常温で大粒径の湯水を噴霧するようにしている。しかしながら、浴槽側ポンプ１１４の加圧量が小さくなると、浴槽側ミストノズル１１２から噴霧される湯水の流速が小さくなるので（図９参照）、使用者の肌から奪われる熱が小さくなり、強い涼感を得ることができない。そこで、第１実施形態における強クールダウンモードにおいては、図１２に示すように、浴槽側ミストノズル１１２から噴霧される湯水の流速を加速させる向きに暖房換気ユニット３０から空気が吹き出されることにより、噴霧された常温で大粒径の湯水の流速が空気の干渉によって加速され、使用者が体感する湯水の流速が上がるようにしている。これにより、使用者は強い涼感を得ることができる。以下に、具体的に説明する。
【００５５】
強クールダウンモードは、温ミストモード実行中（洗い場側ミストノズル１０２から温水が噴霧されている状態）に操作パネル５０の「ミストサウナ」スイッチが操作されてクールダウンモードが選択され、浴槽側の湯水噴霧の強さが「強」側に設定されることにより実行される。強クールダウンモードが開始されると、ミスト噴霧ユニット２０の浴槽側電磁弁１１３が開かれ、浴槽側ポンプ用モータ１１６（図１２略）がオン状態とされて浴槽側ポンプ１１４が駆動する。これにより、浴槽側ポンプ１１４で加圧された湯水が浴槽側ミストノズル１１２へ供給される。強クールダウンモードでは、浴槽側ポンプ１１４による加圧量を小さくしているので、浴槽側ミストノズル１１２から浴室２内へ常温の湯水が、粒径大、流速小で噴霧される。また、暖房換気ユニット３０の送風機２０７が回転し、ダンパ２０６が全閉状態（排気ダクト２０２の入口を完全に遮断する状態）にされ、暖房ヒータ２０５がオフ状態とされる。これにより、送風機２０７の回転によって吸込口（図１２略）から吸い込まれた浴室２内の空気は吹出口（図１２略）から浴室２内に吹き出される。このときの可動ルーバ２０４は、浴槽側ミストノズル１１２から噴霧される湯水の流速を加速させる方向、つまり、たとえば、浴槽側ミストノズル１１２から噴霧される湯水の噴霧方向と吹出口（図１１略）から吹き出される空気の吹き出し方向とが角度θ２で交差するような方向（図１２参照）に向けられる。このように、強クールダウンモードでは、浴槽側ミストノズル１１２から噴霧される湯水の方向と暖房換気ユニット３０から吹き出される空気とのなす角θ２（図１２）としているので、流速小で噴霧された湯水が空気の干渉により加速され、使用者が体感する湯水の流速が上がるようにしている。
【００５６】
以上説明したように、弱クールダウンモードでは、浴槽側ミストノズル１１２から噴霧される湯水の方向と暖房換気ユニット３０から吹き出される空気とのなす角θ１（図１１）を強クールダウンモードにおける同角θ２（図１２）よりも大きくすることにより、流速大で噴霧された湯水が空気の干渉により拡散され、使用者が体感する湯水の流速が下がり、使用者は、緩やかな涼感を得ることができる。一方、強クールダウンモードでは、浴槽側ミストノズル１１２から噴霧される湯水の方向と暖房換気ユニット３０から吹き出される空気とのなす角θ２（図１２）を弱クールダウンモードおける同角θ１（図１１）よりも小さくすることにより、流速小で噴霧された湯水が空気の干渉により加速され、使用者が体感する湯水の流速が上がり、使用者は、強い涼感を得ることができる。
【００５７】
本実施形態のクールダウンモードでは、弱クールダウンモードおよび強クールダウンモードのいずれの場合も、浴槽側ミストノズル１１２から噴霧される湯水を使用者の頭部に向けて噴霧し、暖房換気ユニット３０から吹き出される空気が使用者の頭部よりも上方に向けて吹き出されるようにしている。これにより、弱クールダウンモードの場合でも、使用者の頭部よりも上方で噴霧された湯水を拡散させる方向に空気を吹き出すことで、湯水を拡散させることができ、使用者が体感する湯水の流速を下げることができる。また、強クールダウンモードの場合でも、使用者の頭部よりも上方で噴霧された湯水を加速する方向に空気を吹き出すことで、噴霧された湯水を加速させることができ、使用者が体感する湯水の流速を上げることができる。このように、使用者は、所望の噴霧状態となった湯水を頭部に浴びることができる。
【００５８】
次に、図１３〜図１５を用いて、温ミストモード実行中に使用者によりクールダウンモードが選択された場合の運転制御の順序について時系列で説明する。図１３は、温ミストモード実行中の状態を説明するための説明図であり、図１４は、クールダウンモードが選択された場合の第１ステップを説明するための説明図であり、図１５は、クールダウンモードが選択された場合の第２ステップを説明するための説明図である。
【００５９】
(温ミストモード実行中)
図１３に示すように、温ミストモード実行中では、ミスト噴霧ユニット２０の洗い場側電磁弁１０３が開かれ、洗い場側ポンプ１０４が駆動し、温水ヒータ１０５がオン状態とされ、洗い場側ミストノズル１０２から温水が噴霧されている。また、暖房換気ユニット３０の送風機２０７および暖房ヒータ２０５がオフ状態とされている。
【００６０】
(弱クールダウンモード（第１ステップ）)
次に、温ミストモード実行中に弱クールダウンモードが選択されると、まず、図１４に示すように、暖房換気ユニット３０の送風機２０７が回転し、ダンパ２０６が全閉状態（排気ダクト２０２の入口を完全に遮断する状態）にされ、可動ルーバ２０４が所定の方向に向けられる（第１ステップ）。これにより、吹出口（図１５略）から所定の方向に向けて空気が浴室２内に吹き出される。なお、暖房ヒータ２０５はオフ状態とされる。
【００６１】
(弱クールダウンモード（第２ステップ）)
その後、図１５に示すように、ミスト噴霧ユニット２０の浴槽側電磁弁１１３が開かれ、浴槽側ポンプ用モータ１１６（図１６略）がオン状態とされて浴槽側ポンプ１１４が駆動し、加圧された湯水が浴槽側ミストノズル１１２へ供給される（第２ステップ）。弱クールダウンモードでは、浴槽側ポンプ１１４による加圧量を大きくしているので、浴槽側ミストノズル１１２から浴室２内へ常温の湯水が、粒径小、流速大で噴霧されるが、まず送風機２０７を動作させて送風を開始させ（第１ステップ）、その後、浴槽側ポンプ１１４を駆動させ、浴槽側ミストノズル１１２から浴室２内へ湯水の噴霧が開始させる（第２ステップ）ので、噴霧開始初期から噴霧された湯水が送風により干渉を受けて、使用者が所望する噴霧状態とさせることができ、使用者に不快感を与えることがない。
【００６２】
〔第２実施形態〕
次に、図１６を用いて、第２実施形態におけるクールダウンモードの弱クールダウンモードについて説明する。図１６は、第２実施形態におけるクールダウンモードの弱クールダウンモードを説明するための説明図である。
【００６３】
ここで、第２実施形態における弱クールダウンモードと第１実施形態における弱クールダウンモードとが異なるところは、第１実施形態における弱クールダウンモードでは、浴槽側ミストノズル１１２から噴霧される湯水を拡散させる向きに暖房換気ユニット３０から空気が吹き出されることにより、使用者が体感する湯水の流速を下げるようにしたが、第２実施形態における弱クールダウンモードでは、図１６に示すように、浴槽側ポンプ１１４を間欠的に動作させることにより、浴槽側ミストノズル１１２から浴室２内に噴霧される常温で小粒径の湯水を、噴霧休止時間内で拡散させることにより、使用者が体感する湯水の流速を下げるようにしているところである。これにより、使用者は緩やかな涼感を得ることができる。以下、具体的に説明する。
【００６４】
弱クールダウンモードは、温ミストモード実行中（洗い場側ミストノズル１０２から温水が噴霧されている状態）に操作パネル５０の「ミストサウナ」スイッチが操作されてクールダウンモードが選択され、浴槽側の湯水噴霧の強さが「弱」側に設定されることにより実行される。弱クールダウンモードが開始されると、ミスト噴霧ユニット２０の浴槽側電磁弁１１３が開かれ、浴槽側ポンプ用モータ１１６（図１６略）がオン状態とオフ状態を繰り返すことにより、浴槽側ポンプ１１４が間欠的に動作する。これにより、浴槽側ポンプ１１４で加圧された湯水が、間欠的に浴槽側ミストノズル１１２へ供給される。弱クールダウンモードでは、浴槽側ポンプ１１４による加圧量を大きくしているので、浴槽側ミストノズル１１２から浴室２内へ常温の湯水が、粒径小、流速大で間欠的に噴霧される。このように、たとえ、浴槽側ポンプ１１４の加圧量を大きくして、噴霧される湯水の流速が大きくなる場合でも、浴槽側ポンプ１１４を間欠的に動作させることにより噴霧された湯水が拡散し、使用者が体感する湯水の流速を下げることができる。
【００６５】
次に、強クールダウンモードについて説明する。本実施形態における強クールダウンモードでは、浴槽側ポンプ１１４が小さい加圧量で連続的に動作するように制御される。このように、浴槽側ポンプ１１４を連続的に動作させることにより、弱クールダウンモードと比べ、使用者が体感する湯水の流速を上げることができる。
【００６６】
〔第３実施形態〕
次に、第３実施形態について説明する。ここで、第３実施形態におけるクールダウンモードと第１実施形態におけるクールダウンモードの異なるところは、第１実施形態におけるクールダウンモードでは、暖房換気ユニット３０から吹き出される空気の方向と浴槽側ミストノズル１１２から噴霧される湯水の方向とがなす角度を変更して、浴槽側ミストノズル１１２から浴室２内に噴霧される湯水と暖房換気ユニット３０から吹き出される空気とを干渉させ、使用者が所望する湯水の噴霧状態を得るものであるが、第３実施形態におけるクールダウンモードでは、第１実施形態と同様に、暖房換気ユニット３０から吹き出される空気の方向と浴槽側ミストノズル１１２から噴霧される湯水の方向とがなす角度を変更するのみならず、暖房換気ユニット３０から吹き出される空気の風速をも変化させているところである。つまり、強クールダウンモードでは、弱クールダウンモードよりも粒径および重量が大きい湯水が小さい流速で噴霧されるので、暖房換気ユニット３０から吹き出される空気の風速を、弱クールダウンモードにおける風速に比べて大きくしている。
【００６７】
すなわち、暖房換気ユニット３０からの送風を浴槽側ミストノズル１１２から噴霧された湯水に干渉させることにより、その噴霧された湯水を加速したり、噴霧範囲を調節することができるが、浴槽側ポンプ１１４の加圧量が小さくなれば噴霧される湯水の粒径が大きく、重量も大きくなるため、暖房換気ユニット３０からの送風の影響を受けにくくなる。そこで、本実施形態における強クールダウンモードでは、送風機２０７の回転数を、弱クールダウンモードにおける回転数より大きくして、浴室２内へ吹き出される空気の風速を弱クールダウンモードよりも大きくしているので、粒径および重量の大きい湯水に対しても強い力で干渉して湯水の流速を加速させることができる。また、強クールダウンモードでは、粒径および重量の大きい湯水に対して大きな風速で空気を干渉させるので、湯水の噴霧距離を容易に変更でき、湯水の噴霧範囲の調節が可能となる。このように、第３実施形態におけるクールダウンモードでは、噴霧される湯水の粒径が変化しても使用者が所望する噴霧状態を容易に得ることができる。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の一実施形態におけるミストサウナ機能付き浴室暖房乾燥機の使用形態の一例を示す。
【図２】本体の断面図である。
【図３】ミストサウナ機能付き浴室暖房乾燥機の制御系を示すブロック図である。
【図４】操作パネルの一例を示す。
【図５】暖房モードの空気の流れを説明するための説明図である。
【図６】換気モードの空気の流れを説明するための説明図である。
【図７】温ミストモードの湯水の噴霧状態を説明するための説明図である。
【図８】冷ミストモードの湯水の噴霧状態を説明するための説明図である。
【図９】ミストサウナモードにおいてポンプの加圧量が小さい場合の湯水の噴霧状態を説明するための説明図である。
【図１０】ミストサウナモードにおいてポンプの加圧量が大きい場合の湯水の噴霧状態を説明するための説明図である。
【図１１】第１実施形態におけるクールダウンモードの弱クールダウンモードを説明するための説明図である。
【図１２】第１実施形態におけるクールダウンモードの強クールダウンモードを説明するための説明図である。
【図１３】温ミストモード実行中の状態を説明するための説明図である。
【図１４】クールダウンモードが選択された場合の第１ステップを説明するための説明図である。
【図１５】クールダウンモードが選択された場合の第２ステップを説明するための説明図である。
【図１６】第２実施形態におけるクールダウンモードの弱クールダウンモードを説明するための説明図である。
【符号の説明】
【００７０】
１  ミストサウナ機能付き浴室暖房乾燥機
２  浴室
１０  本体
２０  ミスト噴霧ユニット
３０  暖房換気ユニット
４０  制御ユニット
５０ａ  浴室側操作パネル
５０ｂ  脱衣室側操作パネル
１０１  洗い場側給水管
１０２  洗い場側ミストノズル
１０３  洗い場側電磁弁
１０４  洗い場側ポンプ
１０５  温水ヒータ
１１１  浴槽側給水管
１１２  浴槽側ミストノズル
１１３  浴槽側電磁弁
１１４  浴槽側ポンプ
２０１  吸込口
２０２  排気ダクト
２０３  吹出口
２０４  可動ルーバ
２０５  暖房ヒータ
２０６  ダンパ
２０７  送風機
２０９  温度センサ
３００  グリル板
【図１】
2008279189.tif 000003
【図２】
2008279189.tif 000004
【図３】
2008279189.tif 000005
【図４】
2008279189.tif 000006
【図５】
2008279189.tif 000007
【図６】
2008279189.tif 000008
【図７】
2008279189.tif 000009
【図８】
2008279189.tif 000010
【図９】
2008279189.tif 000011
【図１０】
2008279189.tif 000012
【図１１】
2008279189.tif 000013
【図１２】
2008279189.tif 000014
【図１３】
2008279189.tif 000015
【図１４】
2008279189.tif 000016
【図１５】
2008279189.tif 000017
【図１６】
2008279189.tif 000018